(57)【要約】【課題】物品の保持を確実に行う事ができると共に、ルーバの動的機能を損なわせることが無い車両用物品取付具を提供する。【解決手段】エアコン吹出口６０に横方向に配置され、回転軸６４を基点として揺動可能に構成されたルーバ６２に係止される物品取付具１０であって、基端側に物品又は物品を取り付ける枠部５０を係合させる取付基部１２と、取付基部１２の先端側に設けられてルーバ６２の上下に配置される一対の係止部１８と、を備え、係止部１８は、ルーバ６２の上下面に、揺動スペースとなる揺動隙間２０を構成すると共に、取付基部１２を平面視した際の幅方向に、ルーバ６２を出し入れ可能なルーバ入出隙間２２を設けるように配置されていることを特徴とする。【選択図】図１
2019077423.tif 000002
【特許請求の範囲】
【請求項１】
エアコン吹出口に横方向に配置され、回転軸を基点として揺動可能に構成されたルーバに係止される車両用物品取付具であって、
基端側に物品又は物品を取り付ける枠部を係合させる取付基部と、
前記取付基部の先端側に設けられて前記ルーバの上下に配置される一対の係止部と、を備え、
前記係止部は、前記ルーバの上下面に、前記ルーバの揺動スペースとなる揺動隙間を構成すると共に、前記取付基部を平面視した際の幅方向に、前記ルーバを出し入れ可能なルーバ入出隙間を設けるように配置されていることを特徴とする車両用物品取付具。
【請求項２】
前記係止部は、正面視にて対向する係止部の方向に折り曲げられた先端部を備え、
前記先端部を、前記ルーバの後縁部が揺動する軌跡に沿う円弧状に形成していることを特徴とする請求項１に記載の車両用物品取付具。
【請求項３】
前記係止部は、正面視にて、一対の係止部が基点を中心として、先端部側ほど前記揺動スペースが広くなるように拡開形成されていることを特徴とする請求項２に記載の車両用物品取付具。
【請求項４】
前記係止部は、正面視にて基点側を拡開させるように形成されており、
前記基点側の形態を、前記ルーバの前縁部が揺動する軌跡に沿う円弧状に形成していることを特徴とする請求項１または２に記載の車両用物品取付具。
【請求項５】
前記取付基部には、前記ルーバの前縁部に当接する当接部と、前記取付基部に沿った方向への移動および位置決めを成す調整保持部と、を有する調整手段が設けられることを特徴とする請求項１乃至４のいずれか１項に記載の車両用物品取付具。
【請求項６】
前記調整手段は、前記取付基部に設けられた鋸刃状突起と、前記調整保持部に設けた鋸刃状突起との係合と離脱により、位置決めと移動を可能とする構成としたことを特徴とする請求項５に記載の車両用物品取付具。
【請求項７】
前記調整手段は、前記取付基部に設けられた雄ネジと、前記調整保持部に設けた雌ネジとを螺合させる事により、位置決めと移動を可能とする構成としたことを特徴とする請求項５に記載の車両用物品取付具。
【請求項８】
前記取付基部は、基端側に前記枠部を係合させ、前記枠部は、前記エアコン吹出口の外周部に当接する構成としたことを特徴とする請求項１乃至７のいずれか１項に記載の車両用物品取付具。
【発明の詳細な説明】
【技術分野】
【０００１】
本発明は、ドリンクホルダーや携帯電話ホルダー、およびモニターのホルダー等、種々の物品を車両のエアコン吹出口に取り付けるための物品取付具に関する。
【背景技術】
【０００２】
車両のエアコン吹出口のルーバに物品を取り付けるための車両用物品取付具は従来、ルーバに取り付けた際のガタつきを抑制することを主体として研究開発が成されて来た。このため、その構造としては、例えば特許文献１や特許文献２に開示されているように、横方向に配置されたルーバの上下に密接、あるいは近接する一対の係止部を備える構成のものが数多く提案されている。このような構成の車両用物品取付具では、ルーバの上下に配置される係止部で車両用物品取付具の上下のガタつき抑制すると共に、係止部の先端を上下方向からルーバの後縁部に係止することで抜け止めを図るという構成とされている。
【先行技術文献】
【特許文献】
【０００３】
【特許文献１】特許第２９４９０５８号公報
【特許文献２】特開平１１−１９２８７２号公報
【発明の概要】
【発明が解決しようとする課題】
【０００４】
特許文献１、２に開示されているような構成の車両用物品取付具の構成によれば、車両の振動の有無に関わらず、安定した取付状態を確保することができると思われる。しかし、強固な取付形態というのは、相手方、すなわちルーバの動的機能を抑制してしまうといった問題がある。具体的には、横方向に配置されたルーバを上下方向から保持する係止部により、ルーバを上下方向に動かす事ができなくなるといった問題がある。
【０００５】
そこで本発明では、物品の保持を確実に行う事ができると共に、ルーバの動的機能を損なわせることが無い車両用物品取付具を提供することを目的とする。
【課題を解決するための手段】
【０００６】
上記目的を達成するための本発明に係る車両用物品取付具は、エアコン吹出口に横方向に配置され、回転軸を基点として揺動可能に構成されたルーバに係止される車両用物品取付具であって、基端側に物品又は物品を取り付ける枠部を係合させる取付基部と、前記取付基部の先端側に設けられて前記ルーバの上下に配置される一対の係止部と、を備え、前記係止部は、前記ルーバの上下面に、前記ルーバの揺動スペースとなる揺動隙間を構成すると共に、前記取付基部を平面視した際の幅方向に、前記ルーバを出し入れ可能なルーバ入出隙間を設けるように配置されていることを特徴とする。
【０００７】
また、上記のような特徴を有する車両用物品取付具において前記係止部は、正面視にて対向する係止部の方向に折り曲げられた先端部を備え、前記先端部を、前記ルーバの後縁部が揺動する軌跡に沿う円弧状に形成すると良い。このような特徴を有することによれば、ルーバの回転軸がルーバの前縁部側に位置している際、係止部の先端部がルーバの後縁部に当接した状態であっても、ルーバをスムーズに揺動させることができる。
【０００８】
また、上記のような特徴を有する車両用物品取付具において前記係止部は、正面視にて、一対の係止部が基点を中心として、先端部側ほど前記揺動スペースが広くなるように拡開形成されるようにすることができる。このような特徴を有することによれば、ルーバの回転軸がルーバの前縁部側に位置している際、係止部の先端部がルーバの後縁部に当接した状態であっても、ルーバをスムーズに揺動させることができる。
【０００９】
また、上記のような特徴を有する車両用物品取付具において前記係止部は、正面視にて基点側を拡開させるように形成されており、前記基点側の形態を、前記ルーバの前縁部が揺動する軌跡に沿う円弧状に形成すると良い。このような特徴を有することによれば、ルーバの回転軸がルーバの後縁部側、または幅方向中心部に位置している際、係止部の基点側部位がルーバの前縁部に当接した状態であっても、ルーバをスムーズに揺動させることができる。
【００１０】
また、上記のような特徴を有する車両用物品取付具において前記取付基部には、前記ルーバの前縁部に当接する当接部と、前記取付基部に沿った方向への移動および位置決めを成す調整保持部と、を有する調整手段が設けられるようにしても良い。このような特徴を有することによれば、ルーバの幅が広い場合であっても、狭い場合であっても、ルーバの前縁部と後縁部を好適に挟み込むことが可能となる。
【００１１】
また、上記のような特徴を有する車両用物品取付具における前記調整手段は、前記取付基部に設けられた鋸刃状突起と、前記調整保持部に設けた鋸刃状突起との係合と離脱により、位置決めと移動を可能とする構成とすることができる。このような特徴を有することによれば、鋸刃状突起同士の係合により、確実に位置決めをすることが可能となる。また、振動による緩みやズレが生じる虞もない。
【００１２】
また、上記のような特徴を有する車両用物品取付具における前記調整手段は、前記取付基部に設けられた雄ネジと、前記調整保持部に設けた雌ネジとを螺合させる事により、位置決めと移動を可能とする構成とすることもできる。このような特徴を有する事によれば、調整手段の位置決めの微調整を行う事ができる。よって、より多くの幅のルーバに対応することが可能となる。
【００１３】
さらに、上記のような特徴を有する車両用物品取付具において前記取付基部は、基端側に前記枠部を係合させ、前記枠部は、前記エアコン吹出口の外周部に当接する構成とすることが望ましい。このような特徴を有する事により、枠部を介してエアコン吹出口に対する取付基部の位置決めが成されることとなり、安定した取付状態を確保することができる。
【発明の効果】
【００１４】
上記のような特徴を有する物品取付具によれば、物品の保持を確実に行う事ができると共に、ルーバの動的機能を損なわせることが無い。
【図面の簡単な説明】
【００１５】
【図１】第１の実施形態に係る車両用物品取付具の構成を示す正面図である。
【図２】第１の実施形態に係る車両用物品取付具の構成を示す平面図である。
【図３】第１の実施形態に係る車両用物品取付具の構成を示す左側面図である。
【図４】第１の実施形態に係る車両用物品取付具の着脱方法を説明するための図である。
【図５】第１の実施形態に係る車両用物品取付具をエアコン吹出口へ取り付けた状態を示す部分断面図である。
【図６】第２の実施形態に係る車両用物品取付具の構成を示す部分断面正面図である。
【図７】調整手段の構成を示す正面断面図である。
【図８】調整手段の構成を示す底面図である。
【図９】調整手段の構成を示す左側面図である。
【図１０】第２の実施形態に係る車両用物品取付具を幅が広いルーバを備えたエアコン吹出口に装着する場合の形態を示す図である。
【図１１】第２の実施形態に係る車両用物品取付具を幅が狭いルーバを備えたエアコン吹出口に装着する場合の形態を示す図である。
【図１２】第３の実施形態に係る車両用物品取付具の構成を示す部分断面正面図である。
【図１３】第３の実施形態に係る車両用物品取付具を幅が広いルーバを備えたエアコン吹出口に装着する場合の形態を示す図である。
【図１４】第３の実施形態に係る車両用物品取付具を幅が狭いルーバを備えたエアコン吹出口に装着する場合の形態を示す図である。
【図１５】第４の実施形態に係る車両用物品取付具の構成を示す正面図である。
【図１６】第４の実施形態に係る車両用物品取付具の変形例を示す図である。
【図１７】第５の実施形態に係る車両用物品取付具の構成を示す正面図である。
【発明を実施するための形態】
【００１６】
以下、本発明の車両用物品取付具に係る実施の形態について、図面を参照して詳細に説明する。なお、以下に示す実施の形態は、本発明を適用する場合に好適な形態の一部であり、その機能を発揮する事のできる限りにおいて、構成の一部を変化させた場合であっても、実施形態の一部とみなすことができる。
【００１７】
［第１の実施形態：基本形態］
まず、図１から図５を参照して、第１の実施形態に係る車両用物品取付具（以下、単に物品取付具１０と称す）について説明する。本実施形態に係る物品取付具１０は、図５に示すように、エアコン吹出口６０に横方向に配置されたルーバ６２に取り付けられる。その構成は、取付基部１２と、一対の係止部１８とを基本としている。取付基部１２は、その基端側に係合部１４とツマミ１６を備え、先端側に係止部１８を備える構成とされている。なお、図５に示す例では、ルーバ６２は、回転軸６４を基点としてその自由端（図５に示す例では後縁部６２ｂ）を揺動させることが可能に構成されている。
【００１８】
係合部１４は、エアコン吹出口６０の外周部に当接する物品、又は物品を取り付けるための枠部（図５に示す例では枠部５０）が係合する部位である。ツマミ１６は、物品取付具１０を軸心Ｏ（図３等参照）を基点として回転させる際に力点となる要素である。
【００１９】
係止部１８は、少なくともルーバ６２の後縁部６２ａとの当接部を有し、物品取付具１０の抜け止めを図るための要素である。係合部１４に係合した物品や枠部５０がエアコン吹出口６０の外周部に当接すると共に、係止部１８がルーバ６２からの抜け止めを図ることで、物品取付具１０のガタツキを抑制し、安定した取り付け状態を保つことができる。
【００２０】
本実施形態の場合、係止部１８は、取付基部１２の先端側を基点として、取付基部１２と反対側を延設方向として形成されている。ここで、一対の係止部１８は、一方の係止部１８ａがルーバ６２の上面側に配置され、他方の係止部１８ｂがルーバ６２の下面側に配置される形態とされると共に、幅方向に離間した状態で形成されており、取付基部１２の軸心Ｏを基点として点対称に配置される構成が採られている。
【００２１】
また、係止部１８は、ルーバ６２の上下方向に関し、中心軸Ｃに対して角度θを持つように形成されているため、側面視において、先端側ほど、一方の係止部１８ａと他方の係止部１８ｂが離間する形態とされている。このような構成とすることで、ルーバ６２と係止部１８との間には、揺動隙間２０（図４（Ｃ）参照）が形成されることとなる。
【００２２】
一方の係止部１８ａと他方の係止部１８ｂの先端部１８ａ１，１８ｂ１は、正面視にて、対向する係止部１８側へ向けて折り曲げ形成されている。そして、先端部１８ａ１，１８ｂ１は、正面視側面視にて、少なくとも中心軸Ｃを越える位置にまで延設されている。係止部１８の先端部１８ａ１，１８ｂ１をこのような形態に形成することで、一対の係止部１８の間にルーバ６２が配置された際、その後縁部６２ｂに確実に当接させ、ルーバ６２の抜けを防ぐことができる。
【００２３】
また、先端部１８ａ１，１８ｂ１は、係止部１８の基点側に中心を持つ円弧状となるように形成されている。このような形態により、回転軸６４を基点としてルーバ６２を上下方向に揺動させた場合であっても、先端部１８ａ１，１８ｂ１は、ルーバ６２の後縁部６２ｂの軌跡に沿って当接することとなる。よって、ルーバ６２をスムーズに揺動させることができると共に、ルーバ６２を揺動させた際に、引っ張りや曲げといった負荷が係止部１８にかかることが無い。
【００２４】
なお、基点から係止部１８における先端部１８ａ１，１８ｂ１の交点までの長さＬは、ルーバ６２の前縁部６２ａから後縁部６２ｂまでの長さに合わせるようにすることが望ましい。物品取付具１０をルーバ６２に装着した際、ルーバ６２を安定保持することが可能となるからである。
【００２５】
平面視における一対の係止部１８間の離間幅Ｄは、ルーバ６２の厚みと同等な幅、あるいはルーバ６２の厚みより僅かに大きな幅となるように形成されている。このような構成とすることで、一対の係止部１８の間にルーバ６２を出し入れする際、ルーバ６２を傷つけることなく出し入れする事が可能なルーバ入出隙間２２を形成することができる。
【００２６】
［着脱方式］
上記のような構成の物品取付具１０のエアコン吹出口６０への着脱は、以下のようにして行うことができる。まず、図４（Ａ）に示すように、係止部１８のルーバ入出隙間２２がルーバ６２の厚み方向に沿うように物品取付具１０を配置する。次に、図４（Ｂ）に示すように、物品取付具１０をエアコン吹出口６０に押し込むことで、ルーバ入出隙間２２にルーバ６２を挿入する。
【００２７】
ルーバ入出隙間２２にルーバ６２を挿入した後、取付基部１２の軸心Ｏを基点として、物品取付具１０を９０度回転させる。なお、物品取付具１０の回転方向は、係止部１８とルーバ６２の接触を避ける方向とする。また、一対の係止部１８は、取付基部１２の軸心Ｏを基点として点対称に形成されているため、ルーバ６２と係止部１８との接触を避ける方向は、装着時と離脱時では、逆方向となる。
【００２８】
物品取付具１０を回転させる事により、正面視では、図４（Ｃ）に示すように一対の係止部１８の間にルーバ６２が包含された形態となり、エアコン吹出口６０に対する物品取付具１０の取り付けが完了する。
【００２９】
［作用、効果］
上記のような構成の物品取付具１０によれば、係止部１８の先端部１８ａ１，１８ｂ１がルーバ６２の後縁部６２ｂに当接することで、脱落を防ぐことができる。また、取付基部１２の係合部１４に係合した物品、または枠部５０が、エアコン吹出口６０の外周部に当接することで、取付基部１２の位置決めが成され、取付状態を安定させることができる。
【００３０】
また、物品取付具１０をエアコン吹出口に取り付けた状態において、ルーバ６２と係止部１８との間に揺動隙間２０が設けられることにより、回転軸６４を基点としてルーバ６２を揺動させることができる。さらに、係止部１８の先端部１８ａ１，１８ｂ１を円弧状に形成することで、ルーバ６２をスムーズに揺動させることが可能となる。
【００３１】
［第２の実施形態：調節機構１］
次に、図６から図１１を参照して、第２の実施形態に係る物品取付具について説明する。本実施形態に係る物品取付具１０Ａの基本構成は、上述した第１の実施形態に係る物品取付具１０と同様に、取付基部１２と、一対の係止部１８を有するものである。よって、その機能を同一とする箇所には、図面に同一符号を付し、その詳細な説明は省略することとする。
【００３２】
本実施形態に係る物品取付具１０Ａは、係止部１８の長さとルーバ６２の長さが異なる場合に、これを調整して安定保持するための調整手段２４を備えたことを特徴とする。本実施形態の物品取付具１０Ａは、取付基部１２の側面に、中心軸Ｃの配置方向に沿って複数の鋸刃状突起１２ａを備えている。鋸刃状突起１２ａは、係合部１４側に傾斜面、係止部１８側に垂直面を有するように構成されている。
【００３３】
調整手段２４は、少なくとも調整保持部２６と、当接部３６を有するように構成されている。調整保持部２６は、取付基部１２の外周への装着を可能とすると共に、鋸刃状突起１２ａに対して係合する位置決めストッパ２８を有する。位置決めストッパ２８は、弾性変形可能に形成された舌片３０と、この舌片３０の先端側に設けられた鋸刃状突起３２、および解除突起３４から成る。鋸刃状突起３２は、取付基部１２の側面に設けられた鋸刃状突起１２ａの垂直面に当接する当接面を持つ形態とする。解除突起３４は、舌片３０を介して鋸刃状突起３２と反対側に突出した板片であれば良く、これを舌片３０の基端側へ引く、あるいは鋸刃状突起３２を持ち上げる方向に引き上げる事により、鋸刃状突起１２ａに対する鋸刃状突起３２の係合が解除される。
【００３４】
当接部３６は、係止部１８の基部と同様に、ルーバ６２の前縁部６２ａに当接することで、ルーバ６２の安定保持を図るための要素である。本実施形態では、当接部３６に、ルーバ６２の前縁部６２ａの形態に沿った凹部３８を設けている。このような構成とする事で、ルーバ６２の前縁部６２ａのホールド性を向上させることができる。
【００３５】
このような構成の物品取付具１０Ａによれば、取付基部１２に調整手段２４を取り付けた状態で、調整手段２４を取付基部１２に沿って移動させることができる。調整手段２４を係止部１８側（取付基部１２の先端側）へ移動させると、鋸刃状突起３２の傾斜面が、取付基部１２側の鋸刃状突起１２ａの傾斜面に当接した際、調整保持部２６の舌片３０が弾性変形し、調整保持部２６側の鋸刃状突起３２が取付基部１２側の鋸刃状突起１２ａを乗り越える。一方、調整手段２４を係合部１４側（取付基部１２の基端側）へ移動させると、鋸刃状突起３２の垂直面が、取付基部１２側の鋸刃状突起１２ａの垂直面に当接し、移動が規制される。このため、調整手段２４は、取付基部１２の先端側への移動は自在となるが、基端側への移動は規制される。なお、解除突起３４を基端側へ引く、あるいは持ち上げる動作を行う事で、調整手段２４の移動規制は、解除される。
【００３６】
［作用、効果］
このような機能を有する本実施形態に係る物品取付具１０Ａによれば、図１０と図１１に示すように、ルーバ６２の幅が異なる場合であっても、調整手段２４の固定位置を変える事により、ルーバ６２の前縁部６２ａと後縁部６２ｂを好適に挟み込む事が可能となる。よって、ルーバ６２の幅に如何によらず、安定保持することが可能となる。
【００３７】
［第３の実施形態：調節機構２］
次に、図１２から図１４を参照して、第３の実施形態に係る物品取付具１０Ｂについて説明する。本実施形態に係る物品取付具の基本構成も、上述した第１の実施形態に係る物品取付具１０と同様に、取付基部１２と、一対の係止部１８を有するものである。よって、その機能を同一とする箇所には、図面に同一符号を付し、その詳細な説明は省略することとする。
【００３８】
本実施形態に係る物品取付具１０Ｂも、上述した第２の実施形態に係る物品取付具１０Ａと同様に、取付基部１２に対して調整手段２４を備えるものである。第２の実施形態に係る物品取付具１０Ａとの相違点は、調整手段２４の位置決めをネジによって行う構成とした点である。
【００３９】
具体的には、本実施形態の物品取付具１０Ｂでは、取付基部１２の外周に、雄ネジ１２ｂが形成されている。また、調整手段２４は、内周面に雌ネジ２６ａを備えた調整保持部２６と、当接部３６とを有する。調整保持部２６と当接部３６は、共に筒状（図１２から図１４に示す例では円筒状）に形成されており、当接部３６の内径は、調整保持部２６の内径よりも大きくなるように形成されている。そして、調整手段２４を取付基部１２の先端側（係止部１８側）に移動させた際、少なくとも係止部１８の基点側の一部を内包可能な構成としている。
【００４０】
また、本実施形態では、物品取付具１０Ｂを回転させる際の力点となるツマミ１６を棒状のものとすると共に、ツマミ１６、および係合部１４の直径を調整保持部２６の内径より小さなものとしている。このような構成とすることで、調整手段２４を筒状とした場合であっても、矢印ａでその軌跡を示すように、調整手段２４の内側にツマミ１６と係合部１４を通すようにして、調整手段２４を取付基部１２に装着することができる。このような構成の物品取付具１０Ｂでは、取付基部１２に対して調整手段２４を回動させることで、調整手段２４を取付基部１２に沿って移動させることができる。
【００４１】
［作用、効果］
本実施形態に係る物品取付具１０Ｂの作用効果は、上述した第２の実施形態に係る物品取付具１０Ａと同様である。すなわち、図１３と図１４に正面図を示すように、ルーバ６２の幅が広い場合であっても、ルーバ６２の幅が狭い場合であっても、取付基部１２に沿って調整手段２４を移動させることで、ルーバ６２の前縁部６２ａと後縁部６２ｂを挟み込む事が可能となる。よって、ルーバ６２の幅の如何によらず、安定保持することが可能となる。
【００４２】
［第４の実施形態：ルーバの回転軸が中心の場合］
次に、図１５を参照して、第４の実施形態に係る物品取付具について説明する。本実施形態に係る物品取付具の基本構成も、上述した第１の実施形態に係る物品取付具１０と同様に、取付基部１２と、一対の係止部１８を有するものである。よって、その機能を同一とする箇所には、図面に同一符号を付し、その詳細な説明は省略することとする。
【００４３】
本実施形態に係る物品取付具１０Ｃは、ルーバ６２の回転軸６４がルーバ６２の幅方向中心に位置する場合に対応する形態である。ルーバ６２の回転軸６４が幅方向中心に位置する場合、ルーバ６２が揺動する際には、ルーバ６２の前縁部６２ａと後縁部６２ｂの両方が上下方向に移動することとなる。このため、本実施形態に係る物品取付具１０Ｃは、係止部１８の基点側を先端部１８ａ１，１８ｂ１側と同様な形態に拡開させる構成としている。このような構成とすることで、ルーバ６２の前縁部６２ａと後縁部６２ｂの双方について、その揺動を妨げる虞が無くなる。
【００４４】
その他の構成、作用、効果については、上述した第１の実施形態に係る物品取付具１０と同様である。
【００４５】
［変形例］
図１５に示す形態では、係止部１８の形態について、ルーバ６２の揺動に沿った形態とした事で、一対の係止部１８を正面から見た際、いわゆるリボン型の形状を成すように示した。しかしながら、係止部１８におけるルーバ６２の回転軸６４と対向する部位については図１６に示すように、括れを持たせる事なくストレート構造とすることもできる。係止部１８をこのような形態とした場合であっても、その機能に変わりは無いからである。
【００４６】
［第５の実施形態：ルーバの回転軸が後縁部側の場合］
次に、図１７を参照して、第５の実施形態に係る物品取付具について説明する。本実施形態に係る物品取付具１０Ｄの基本構成も、上述した第１の実施形態に係る物品取付具１０と同様に、取付基部１２と、一対の係止部１８を有するものである。よって、その機能を同一とする箇所には、図面に同一符号を付し、その詳細な説明は省略することとする。
【００４７】
本実施形態に係る物品取付具１０Ｄは、ルーバ６２の回転軸６４がルーバ６２の幅方向における後縁部６２ｂ側に位置する場合に対応する形態である。ルーバ６２の回転軸６４が後縁部６２ｂ側に位置する場合、ルーバ６２が揺動する際には、ルーバ６２の前縁部６２ａが上下方向に移動することとなる。このため、本実施形態に係る物品取付具１０Ｄは、係止部１８の基点側を拡開させ、先端部１８ａ１，１８ｂ１側をすぼめる構成としている。このような構成とすることで、ルーバ６２の前縁部６２ａの揺動を妨げる虞が無くなるからである。
【００４８】
その他の構成、作用、効果については、上述した第１の実施形態に係る物品取付具１０と同様である。なお、図１６に示した係止部１８の形態は、本実施形態のようにルーバ６２の後縁部６２ｂ側に回転軸６４を備える場合にも、適用することができる。
【符号の説明】
【００４９】
１０，１０Ａ，１０Ｂ，１０Ｃ………物品取付具、１２………取付基部、１２ａ………鋸刃状突起、１４………係合部、１６………ツマミ、１８………係止部、１８ａ………一方の係止部、１８ｂ………他方の係止部、１８ａ１………先端部、１８ｂ１………先端部、２０………揺動隙間、２２………ルーバ入出隙間、２４………調整手段、２６………調整保持部、２６ａ………雌ネジ、２８………位置決めストッパ、３０………舌片、３２………鋸刃状突起、３４………解除突起、３６………当接部、３８………凹部、５０………枠部、６０………エアコン吹出口、６２………ルーバ、６２ａ………前縁部、６２ｂ………後縁部、６４………回転軸。
【図１】
2019077423.tif 000003
【図２】
2019077423.tif 000004
【図３】
2019077423.tif 000005
【図４】
2019077423.tif 000006
【図５】
2019077423.tif 000007
【図６】
2019077423.tif 000008
【図７】
2019077423.tif 000009
【図８】
2019077423.tif 000010
【図９】
2019077423.tif 000011
【図１０】
2019077423.tif 000012
【図１１】
2019077423.tif 000013
【図１２】
2019077423.tif 000014
【図１３】
2019077423.tif 000015
【図１４】
2019077423.tif 000016
【図１５】
2019077423.tif 000017
【図１６】
2019077423.tif 000018
【図１７】
2019077423.tif 000019